(57)【要約】【課題】従来技術の問題点を解決し、２つのハウジングにより組合せを簡略化させることにより、生産コストを抑え、組立てが容易であるなどの長所を有する複合雌コネクタを提供する。【解決手段】複合雌コネクタ１０は、様々な規格の雄コネクタを選択的に接続させることが可能で、第１の端子群１０１、第１のハウジング１０２、第２の端子群１０３、第３の端子群１０４、第２のハウジング１０５、端子固定器１０６及びシェル１０７を備える。第１の端子群１０１は、第１の外部雄コネクタの端子と電気的に接続される第１の接点１０１２と、第１の接点１０１２に対して垂直に延伸され、電子装置と接続される第１の接続部１０１３と、をそれぞれ有する複数の第１の端子１０１１を有する。【選択図】図２
0003165977.tif 000002
【実用新案登録請求の範囲】
【請求項１】
様々な規格の雄コネクタを選択的に接続させることが可能で、第１の端子群、第１のハウジング、第２の端子群、第３の端子群、第２のハウジング、端子固定器及びシェルを備える複合雌コネクタであって、
前記第１の端子群は、第１の外部雄コネクタの端子と電気的に接続される第１の接点と、前記第１の接点に対して垂直に延伸され、電子装置と接続される第１の接続部と、をそれぞれ有する複数の第１の端子を有し、
前記第１のハウジングは、前記第１の端子群を固定させ、前記第１の接点を固定させる第１の固定器と、前記第１の端子をガイドして平行に配列させるプレート部と、前記第１のハウジングの両側に形成された１対のクランプと、を有し、
前記第２の端子群は、第２の外部雄コネクタの端子と電気的に接続される第２の接点と、前記電子装置と接続される第２の接続部と、前記第２の接点と前記第２の接続部との間に設けられた第２の連結部と、をそれぞれ有する複数の第２の端子を有し、
前記第３の端子群は、第３の外部雄コネクタの端子と電気的に接続される第３の接点と、前記電子装置と接続される第３の接続部と、前記第３の接点と前記第３の接続部との間に設けられた第３の連結部と、をそれぞれ有する複数の第３の端子を有し、
前記第２のハウジングは、ベース、複数のトレンチ、１対のスロット及び１対のストッパを有し、前記ベース上に設けられた前記トレンチには、前記第２の連結部及び前記第３の連結部が収納され、前記第１のハウジングと前記第２のハウジングとを組み合わせると、前記トレンチの両側に形成された前記スロットに前記クランプが接続され、前記ストッパにより第１の固定器が位置決めされ、
前記端子固定器は、前記第１の接続部、前記第２の接続部及び前記第３の接続部を平行に配列して固定させる多数の孔部を有し、
前記シェルは、前記電子装置の中に固定され、前記第１のハウジング及び前記第２のハウジングと、前記第１の端子、前記第２の端子及び前記第３の端子とを保護し、前記第１の外部雄コネクタ、前記第２の外部雄コネクタ及び前記第３の外部雄コネクタを選択的に収納し、
前記第２の端子と前記第３の端子とが互いに交互に配置されることを特徴とする複合雌コネクタ。
【請求項２】
前記第１の端子群は、ｅＳＡＴＡの標準規格に準拠することを特徴とする請求項１に記載の複合雌コネクタ。
【請求項３】
前記第２の端子群は、ＵＳＢ２．０の標準規格に準拠することを特徴とする請求項１に記載の複合雌コネクタ。
【請求項４】
前記第２の端子群と前記第３の端子群との組合せは、ＵＳＢ３．０の標準規格に準拠することを特徴とする請求項１に記載の複合雌コネクタ。
【請求項５】
前記第２の端子群は、４つの端子を有し、
前記第３の端子群は、５つの端子を有することを特徴とする請求項１に記載の複合雌コネクタ。
【請求項６】
前記第２の接続部と前記第２の連結部とのなす角度は９０°であることを特徴とする請求項１に記載の複合雌コネクタ。
【請求項７】
前記第３の接続部と前記第３の連結部とのなす角度は９０°であることを特徴とする請求項１に記載の複合雌コネクタ。
【請求項８】
前記シェルは、前記第１の外部雄コネクタ、前記第２の外部雄コネクタ及び前記第３の外部雄コネクタを固定させる複数のグリップ部を有することを特徴とする請求項１に記載の複合雌コネクタ。
【考案の詳細な説明】
【技術分野】
【０００１】
本考案は、複合雌コネクタに関するものであり、さらに詳しくは、ユニバーサルシリアルバス（例えば、ＵＳＢ２．０、ＵＳＢ３．０など）及びｅＳＡＴＡの標準規格に準拠した複合雌コネクタに関する。
【背景技術】
【０００２】
近年、コンピュータ装置及び電子装置の急速な発展に伴い、高速かつ効果的なデータ通信の開発が求められてきている。しかし、従来の通信標準規格を新世代へ交代させるためには、技術の発展だけが関係するのでなく、従来の標準規格の製品を使用し続けることを希望するユーザのニーズに応えることも重要である。
【０００３】
しかし、電子製品は軽量で薄型の機能が求められているため、各製品は、内部を簡素化して各部品の占有空間を縮小し、外側に設けられたソケット又はプラグのそれぞれを一つにまとめたり改良したりする必要がある。例えば、ＵＳＢ２．０は、データ通信に最もよく利用されている通信規格である。一般のノート型パソコンには、マウス、スピーカ、カードリーダなどの周辺装置を接続するために用いる約３〜７つのＵＳＢコネクタスロット（雌コネクタ）が設けられている。しかし、ノート型パソコンが次第に小型化するに伴い、装着できるＵＳＢの雌コネクタやその他のコネクタの数が少なくなった。外付型ハードディスクドライブのデータ伝送速度が速いコネクタは、ｅＳＡＴＡ又はＵＳＢ３．０の標準規格に準拠するものが多い。ノート型パソコンに雌コネクタが装着されていない場合、ユーザは外付型ハードディスクドライブのデータを読取ることができない。
【０００４】
図１を参照する。図１に示すように、特許文献１では、ＵＳＢ２．０及びｅＳＡＴＡの標準規格に準拠した複合雌コネクタが開示されている。この雌コネクタは、ハウジング、ｅＳＡＴＡ端子群及びＵＳＢ端子群を有する。ハウジングは、キャビティと、キャビティに配置された端子座と、を有する。ｅＳＡＴＡ端子群は、端子座上に取り付けられ、側ｅＳＡＴＡ端子（ｓｉｄｅ  ｅＳＡＴＡ  ｔｅｒｍｉｎａｌ）及び中ｅＳＡＴＡ端子（ｍｉｄｄｌｅ  ｅＳＡＴＡ  ｔｅｒｍｉｎａｌ）を有する。中ｅＳＡＴＡ端子は、側ｅＳＡＴＡ間に配置され、端子座上に取り付けられている。ＵＳＢ端子群は、端子座（ｅＳＡＴＡ端子群に対応する）に取り付けられ、多数の内部ＵＳＢ端子及び多数の外部ＵＳＢ端子を有する。外部ＵＳＢ端子は、中ｅＳＡＴＡ端子とそれぞれ接続され、中ｅＳＡＴＡ端子により信号を伝送させる。そのため、雌コネクタは、ＵＳＢ３．０の標準規格に準拠するとともに、端子座が１つしかないためサイズが小さい。
【０００５】
同業者なら分かるように、特許文献１は、以下（１）及び（２）の欠点を有する。
（１）ｅＳＡＴＡ端子を別に形成し、ｅＳＡＴＡコネクタと接続させる。９つの端子を全て使用するということは、異なるツールが必要であり、１つの端子形式のｅＳＡＴＡ雌コネクタより生産コストが高いという意味である。
（２）ハウジングを１つだけ利用して全ての端子を固定させているため、機器により組立てを行ったとしても、ハウジングの内部空間が小さいため、様々な種類の端子を一つずつ固定させることは困難である。そのため、雌コネクタを組み付ける際、短絡が発生して、収率が下がることがあった。
【先行技術文献】
【特許文献】
【０００６】
【特許文献１】米国特許第７，５１７，２５３号公報
【考案の概要】
【考案が解決しようとする課題】
【０００７】
本考案の主な目的は、従来技術の問題点を解決し、２つのハウジングにより組合せを簡略化させることにより、生産コストを抑え、組立てが容易であるなどの長所を有する複合雌コネクタを提供することにある。
【課題を解決するための手段】
【０００８】
上記課題を解決するために、本考案の第１の形態によれば、様々な規格の雄コネクタを選択的に接続させることが可能で、第１の端子群、第１のハウジング、第２の端子群、第３の端子群、第２のハウジング、端子固定器及びシェルを備える複合雌コネクタであって、前記第１の端子群は、第１の外部雄コネクタの端子と電気的に接続される第１の接点と、前記第１の接点に対して垂直に延伸され、電子装置と接続される第１の接続部と、をそれぞれ有する複数の第１の端子を有し、前記第１のハウジングは、前記第１の端子群を固定させ、前記第１の接点を固定させる第１の固定器と、前記第１の端子をガイドして平行に配列させるプレート部と、前記第１のハウジングの両側に形成された１対のクランプと、を有し、前記第２の端子群は、第２の外部雄コネクタの端子と電気的に接続される第２の接点と、前記電子装置と接続される第２の接続部と、前記第２の接点と前記第２の接続部との間に設けられた第２の連結部と、をそれぞれ有する複数の第２の端子を有し、前記第３の端子群は、第３の外部雄コネクタの端子と電気的に接続される第３の接点と、前記電子装置と接続される第３の接続部と、前記第３の接点と前記第３の接続部との間に設けられた第３の連結部と、をそれぞれ有する複数の第３の端子を有し、前記第２のハウジングは、ベース、複数のトレンチ、１対のスロット及び１対のストッパを有し、前記ベース上に設けられた前記トレンチには、前記第２の連結部及び前記第３の連結部が収納され、前記第１のハウジングと前記第２のハウジングとを組み合わせると、前記トレンチの両側に形成された前記スロットに前記クランプが接続され、前記ストッパにより第１の固定器が位置決めされ、前記端子固定器は、前記第１の接続部、前記第２の接続部及び前記第３の接続部を平行に配列して固定させる多数の孔部を有し、前記シェルは、前記電子装置の中に固定され、前記第１のハウジング及び前記第２のハウジングと、前記第１の端子、前記第２の端子及び前記第３の端子とを保護し、前記第１の外部雄コネクタ、前記第２の外部雄コネクタ及び前記第３の外部雄コネクタを選択的に収納し、前記第２の端子と前記第３の端子とが互いに交互に配置されることを特徴とする複合雌コネクタが提供される。
【０００９】
前記第１の端子群は、ｅＳＡＴＡの標準規格に準拠することが好ましい。
【００１０】
前記第２の端子群は、ＵＳＢ２．０の標準規格に準拠することが好ましい。
【００１１】
前記第２の端子群と前記第３の端子群との組合せは、ＵＳＢ３．０の標準規格に準拠することが好ましい。
【００１２】
前記第２の端子群は、４つの端子を有し、前記第３の端子群は、５つの端子を有することが好ましい。
【００１３】
前記第２の接続部と前記第２の連結部とのなす角度は９０°であることが好ましい。
【００１４】
前記第３の接続部と前記第３の連結部とのなす角度は９０°であることが好ましい。
【００１５】
前記シェルは、前記第１の外部雄コネクタ、前記第２の外部雄コネクタ及び前記第３の外部雄コネクタを固定させる複数のグリップ部を有することが好ましい。
【考案の効果】
【００１６】
本考案の複合雌コネクタは、従来技術の問題点を解決し、２つのハウジングにより組合せを簡略化させることにより、生産コストを抑え、組立てが容易になるなどの長所を有する。
【図面の簡単な説明】
【００１７】
【図１】従来技術の雌コネクタを示す斜視図である。
【図２】本考案の一実施形態による複合雌コネクタを示す分解斜視図である。
【図３】本考案の一実施形態による第１の端子群を第１のハウジングに組み付けるときの状態を示す斜視図である。
【図４】本考案の一実施形態による第２の端子群と第３の端子群とを組み立てて第２のハウジングを形成するときの状態を示す斜視図である。
【図５】本考案の一実施形態による第１のハウジングと第２のハウジングとを結合させるときの状態を示す斜視図である。
【図６】本考案の一実施形態による第２のハウジングと端子固定器とを接続させるときの状態を示す斜視図である。
【図７】本考案の一実施形態によるシェルに第２のハウジングを組み合わせるときの状態を示す斜視図である。
【図８】本考案の一実施形態による複合雌コネクタの組立てが完成したときの状態を示す斜視図である。
【考案を実施するための形態】
【００１８】
以下、本考案の実施形態について図に基づいて説明する。なお、これによって本考案が限定されるものではない。
【００１９】
図２〜図８を参照する。図２〜図８に示すように、本考案の一実施形態による複合雌コネクタ１０は、第１の端子群１０１、第１のハウジング１０２、第２の端子群１０３、第３の端子群１０４、第２のハウジング１０５、端子固定器１０６及びシェル１０７を備える。
【００２０】
第１の端子群１０１は、７つの第１の端子１０１１からなる。各第１の端子１０１１は、第１の接点１０１２及び第１の接続部１０１３をそれぞれ有する。第１の接続部１０１３は、第１の接点１０１２に対して垂直方向に延伸されている。第１の接点１０１２は、第１の外部雄コネクタ（図示せず）の端子と電気的に接続されてもよい。第１の外部雄コネクタは、ｅＳＡＴＡコネクタである。第１の端子群１０１及び第１の外部雄コネクタは、ｅＳＡＴＡの通信標準規格に準拠する。
【００２１】
第１の接続部１０１３は、第１の接点１０１２に対して垂直に延伸され、電子装置（図示せず）と接続されている。この電子装置は、ノート型パソコン、プロジェクタ、携帯電話、プリンタなどでもよい。
【００２２】
第１の固定器１０２１により第１の接点１０１２を固定し、第１のハウジング１０２に第１の端子群１０１を固定させる。第１のハウジング１０２は、第１の端子１０１１をガイドするプレート部１０２２を有し、第１の端子１０１１が外力により干渉されず、平行に配列されている。最後に、第１のハウジング１０２の両側に形成された１対のクランプ１０２３により、第１のハウジング１０２と第２のハウジング１０５とを整合させる。実際に整合させる際は、プレート部１０２２上に設けたトレンチ（図示せず）により第１の端子１０１１をガイドする。
【００２３】
第２の端子群１０３は、４つの第２の端子１０３１を含む。第２の端子１０３１のそれぞれは、第２の外部雄コネクタ（図示せず）の端子と電気的に接続される第２の接点１０３２を有する。第２の端子群１０３及び第２の外部雄コネクタは、ＵＳＢ２．０の通信標準規格に準拠する。第２の端子１０３１は、電子装置と接続される第２の接続部１０３３を有する。第２の端子１０３１は、第２の接点１０３２と第２の接続部１０３３との間に設けられた第２の連結部１０３４を有する。ここで、４つの第２の端子１０３１のうちの２つは、組み立てが都合良くできるように、第２の連結部１０３４が外側に突設されている。
【００２４】
第３の端子群１０４は、５つの第３の端子１０４１を有する。各第３の端子１０４１は、第３の外部雄コネクタの端子と電気的に接続された第３の接点１０４２を有する。本実施形態では、第２の端子群と第３の端子群とを結合させることにより、ＵＳＢ３．０の雌端子群を構成する。これにより、第３の外部雄コネクタをＵＳＢ３．０の標準規格に準拠させることができる。さらに、第３の端子１０４１は、電子装置と接続される第３の接続部１０４３と、第３の接点１０４２と第３の接続部１０４３との間に設けられた第３の連結部１０４４と、をさらに有する。第２の端子１０３１と第３の端子１０４１とは互いに交互に配置されている。
【００２５】
第２のハウジング１０５は、ベース１０５１、トレンチ１０５２、１対のスロット１０５３及び１対のストッパ１０５４を有する。ベース１０５１は、その上に設けられたユニットに接続されて支持する。ベース１０５１上に設けられたトレンチ１０５２は、第２の連結部１０３４及び第３の連結部１０４４を収納するために用いる。第１のハウジング１０２と第２のハウジング１０５とを組み合わせると、トレンチ１０５２の両側に形成された１対のスロット１０５３にクランプ１０２３が接続される。ストッパ１０５４は、第１の固定器１０２１を位置決めするために用いる。
【００２６】
端子固定器１０６は、多数の孔部１０６１を有する。第１の接続部１０１３、第２の接続部１０３３及び第３の接続部１０４３は、孔部１０６１により平行に配列させて固定することができるため、複合雌コネクタ１０をスムーズに組み立てることができる。
【００２７】
最後に、シェル１０７は、ハウジングと、その中に設けられた端子とを保護し、挿入した外部雄コネクタを収納するために用いる。１対のグリップ部１０７１は、複合雌コネクタ１０を電子装置に固定させるために用いる。組立てが完成すると、カバー１０７２は、複合雌コネクタ１０を覆うために用いる。
【００２８】
以下、図３〜図８に基づき複合雌コネクタ１０の組み立てを説明する。
【００２９】
図３を参照する。図３の矢印は、第１の端子群１０１を第１のハウジング１０２に取り付ける方向を示す。図４は、第２の端子群１０３と第３の端子群１０４とを組み立てて第２のハウジング１０５を形成するときの状態を示す。図５は、第１のハウジング１０２と第２のハウジング１０５とを結合させるときの状態を示す。図６は、組み立てが完了した第２のハウジング１０５を端子固定器１０６に接続させるときの状態を示す。図７は、シェル１０７を取り付けるときの状態を示す。図８は、複合雌コネクタ１０の組立てが完了したときの状態を示す。
【００３０】
本実施形態では、第２の接続部１０３３と第２の連結部１０３４とのなす角度は約９０°であり、第３の接続部１０４３と第３の連結部１０４４とのなす角度は約９０°でもよい。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１０  複合雌コネクタ
１０１  第１の端子群
１０２  第１のハウジング
１０３  第２の端子群
１０４  第３の端子群
１０５  第２のハウジング
１０６  端子固定器
１０７  シェル
１０１１  第１の端子
１０１２  第１の接点
１０１３  第１の接続部
１０２１  第１の固定器
１０２２  プレート部
１０２３  クランプ
１０３１  第２の端子
１０３２  第２の接点
１０３３  第２の接続部
１０３４  第２の連結部
１０４１  第３の端子
１０４２  第３の接点
１０４３  第３の接続部
１０４４  第３の連結部
１０５１  ベース
１０５２  トレンチ
１０５３  スロット
１０５４  ストッパ
１０６１  孔部
１０７１  グリップ部
１０７２  カバー
【図１】
0003165977.tif 000003
【図２】
0003165977.tif 000004
【図３】
0003165977.tif 000005
【図４】
0003165977.tif 000006
【図５】
0003165977.tif 000007
【図６】
0003165977.tif 000008
【図７】
0003165977.tif 000009
【図８】
0003165977.tif 000010